(57)【特許請求の範囲】
【請求項１】
下端開放状の正多角形筒状に形成されたプラスチック製のボックス本体と、このボックス本体の下方開口端を塞ぐプラスチック製の塗代カバーとを備えた電線ボックスであり、
前記塗代カバーは、コンクリート打設前にコンクリート型枠の内面の所定位置に定置固定されるものであり、
前記ボックス本体は、前記塗代カバーに結合され、コンクリートの打設によりコンクリート壁内に埋め込まれるものであり、
前記ボックス本体の正多角形外面の少なくとも相対向する一対の稜角部の各下端寄り箇所にそれぞれ、面取部が形成されるとともに該面取部の下側に係止段部が形成されており、
前記塗代カバーの内面外周端縁の少なくとも相対向する一対の箇所からそれぞれ先端に前記面取部に係合する内向き突起を有する弾性変形自在な係合脚片が前記ボックス本体の外方に向けて一体に上向きに突設されており、
前記面取部のうちの少なくとも一つの面取部内の周方向両端に、この面取部に係合する前記内向き突起の周方向移動を規制する位置決め段部が設けられており、
相対向する前記内向き突起の内向き端面どうし間の間隔は、前記ボックス本体の正多角形外面の相対向する二面どうし間の間隔よりも広く、かつボックス本体の正多角形外面の相対向する稜角部どうし間の間隔よりも狭くするとともに、相対向する前記面取部どうし間の間隔とほぼ同一の寸法に設定しており、
前記内向き突起の下面の、塗代カバー内面からの高さは、前記係止段部の上面とボックス本体の下端面との間の間隔とほぼ同一寸法に設定しており、
前記塗代カバーは、前記ボックス本体内の電線と接続可能に配線器具を取り付けるための中央凹部の内部に、薄肉部を介して切離可能な開口底板を一体に備えていることを特徴とするコンクリート壁埋込用電線ボックス。
【請求項２】
上下端開放状の正多角形筒状に形成されたプラスチック製のボックス本体と、このボックス本体の下方開口端を塞ぐプラスチック製の塗代カバーと、ボックス本体の上方開口端を塞ぐプラスチック製のバックプレートとを備えた電線ボックスであり、
前記塗代カバーは、コンクリート打設前にコンクリート型枠の内面の所定位置に定置固定されるものであり、
前記ボックス本体は、前記塗代カバーに結合され、コンクリートの打設によりコンクリート壁内に埋め込まれるものであり、
前記ボックス本体の正多角形外面の少なくとも相対向する一対の稜角部のそれぞれの上下端寄り箇所にそれぞれ、上下の面取部が形成されるとともに、上側の面取部の上側に係止段部が、下側の面取部の下側に係止段部がそれぞれ形成されており、
前記塗代カバーの内面外周端縁の少なくとも相対向する一対の箇所からそれぞれ先端に前記下側の面取部に係合する内向き突起を有する弾性変形自在な係合脚片が前記ボックス本体の外方に向けて一体に上向きに突設されており、
前記バックプレートの内面外周端縁の少なくとも相対向する一対の箇所からそれぞれ先端に前記上側の面取部に係合する内向き突起を有する弾性変形自在な係合脚片が前記ボックス本体の外方に向けて一体に下向きに突設されており、
前記上側の面取部のうちの少なくとも一つの面取部内の周方向両端、及び下側の面取部のうちの少なくとも一つの面取部内の周方向両端にそれぞれ、各面取部に係合する前記内向き突起の周方向移動を規制する位置決め段部が設けられており、
相対向する前記内向き突起の内向き端面どうし間の間隔は、前記ボックス本体の正多角形外面の相対向する二面どうし間の間隔よりも広く、かつボックス本体の正多角形外面の相対向する稜角部どうし間の間隔よりも狭くするとともに、相対向する前記面取部どうし間の間隔とほぼ同一の寸法に設定しており、
前記下側の内向き突起の下面の、塗代カバー内面からの高さは、前記下側の係止段部の上面とボックス本体の下端面との間の間隔とほぼ同一寸法に設定しており、
前記塗代カバーは、前記ボックス本体内の電線と接続可能に配線器具を取り付けるための中央凹部の内部に、薄肉部を介して切離可能な開口底板を一体に備えており、
前記上側の内向き突起の上面の、バックプレート内面からの高さは、前記上側の係止段部の下面とボックス本体の上端面との間の間隔とほぼ同一寸法に設定していることを特徴とするコンクリート壁埋込用電線ボックス。
【発明の詳細な説明】
【０００１】
【発明の属する技術分野】
本発明は、コンクリート壁埋込用の電線ボックスに関する。
【０００２】
【従来の技術】
建物の天井コンクリート壁面などに照明器具等の配線器具を取り付けるために、予めＰＣ板等の天井コンクリート壁に電線を導入する電線ボックスが埋設される。  この電線ボックスとしては、例えば、図７に示すように筒形状のボックス本体３０と、このボックス本体３０の下端開口部を塞ぐ塗代カバー３１、及びボックス本体３０の上端開口部を塞ぐバックプレート３２とを備えたものがある。塗代カバー３２は断面皿形に形成されてその中央凹部３３の内部に開口底板３４を薄肉部３５を介して切離可能に一体に備えている。
この電線ボックスを天井コンクリート壁に埋設するには、図８に示すように、コンクリート型枠３６にコンクリート３７を打ち込むに先立って、コンクリート型枠（幕板）３６の内面の所定位置に開口底板３４を釘３８で打ち付けて塗代カバー３１を定置固定し、この塗代カバー３１の上にボックス本体３０をビス３９によって結合固定する。そして、ボックス本体３０にビス４０で取り付けられているバックプレート３２を一旦ボックス本体３０から取り外し、ボックス本体３０内に電線（図示省略）を導入配線してから再びバックプレート３２をボックス本体３０にこれの上端開口部を塞ぐようにビス４０で止め付ける。かくして、図８に示すごとくコンクリート型枠３６内にコンクリート３７を打ち込む。コンクリート３７の固化後、図９に示すごとくコンクリート型枠３６を取り外す。コンクリート型枠３６の取り外しに伴って開口底板３４がその取り外し方向に引っ張られ薄肉部３５を破断して塗代カバー３１から分離する。開口底板３４の分離によって塗代カバー３１の内部に配線器具を取り付け可能にする空間が形成される。
【０００３】
【発明が解決しようとする課題】
しかしながら、上記のように塗代カバー３１やバックプレート３２をボックス本体１に対していちいちビス３９，４０で止め付ける作業は作業能率の低下の大きな原因になっていた。
【０００４】
本発明は、上記のようなビスを用いることなく、塗代カバー及びバックプレートの両方またはそのいずれか一方をボックス本体に対し簡単にセットすることができて作業能率の向上を図れるコンクリート壁埋込用電線ボックスを提供することを目的とする。
【０００５】
【課題を解決するための手段】
本発明の請求項１に係る発明は、図４に例示するごとく、下端開放状の正多角形筒状に形成されたプラスチック製のボックス本体１と、このボックス本体１の下方開口端を塞ぐプラスチック製の塗代カバー２とを備えた電線ボックスであり、塗代カバー２は、コンクリート打設前にコンクリート型枠の内面の所定位置に定置固定されるものであり、ボックス本体１は、塗代カバー２に結合され、コンクリートの打設によりコンクリート壁内に埋め込まれるものであり、ボックス本体１の正多角形外面の少なくとも相対向する一対の稜角部６，６の各下端寄り箇所に、面取部８が形成されるとともに該面取部８の下側に係止段部１０が形成されており、塗代カバー２の内面外周端縁の少なくとも相対向する一対の箇所からそれぞれ先端に前記面取部８に係合する内向き突起１３を有する弾性変形自在な係合脚片１２がボックス本体１の外方に向けて一体に上向きに突設されており、前記面取部８のうちの少なくとも一つの面取部８内の周方向両端に、この面取部８に係合する前記内向き突起１３の周方向移動を規制する位置決め段部１１，１１（図３参照）が設けられており、相対向する内向き突起１３，１３の内向き端面どうし間の間隔ａは、ボックス本体１の正多角形外面の相対向する二面どうし間の間隔ｂ（図１参照）よりも広く、かつボックス本体１の正多角形外面の相対向する稜角部６，６どうし間の間隔ｃよりも狭くするとともに、相対向する面取部８，８どうし間の間隔ｄとほぼ同一の寸法に設定しており、内向き突起１３の下面の、塗代カバー内面２ａからの高さｅは、係止段部１０とボックス本体１の下端面との間の間隔ｆとほぼ同一寸法に設定しており、塗代カバー２は、ボックス本体１内の電線と接続可能に配線器具を取り付けるための中央凹部１４の内部に、薄肉部１６を介して切離可能な開口底板１５を一体に備えていることに特徴を有するものである。
【０００６】
【０００７】
請求項２に係る発明は、図４に例示するごとく、上下端開放状の正多角形筒状に形成されたプラスチック製のボックス本体１と、このボックス本体１の下方開口端を塞ぐプラスチック製の塗代カバー２と、ボックス本体１の上方開口端を塞ぐプラスチック製のバックプレート３とを備えた電線ボックスであり、塗代カバー２は、コンクリート打設前にコンクリート型枠の内面の所定位置に定置固定されるものであり、ボックス本体１は、塗代カバー２に結合され、コンクリートの打設によりコンクリート壁内に埋め込まれるものであり、ボックス本体１の正多角形外面の少なくとも相対向する一対の稜角部６，６の各上下端寄り箇所にそれぞれ、上下の面取部７，８が形成されるとともに、上側の面取部７の上側に係止段部９を、下側の面取部８の下側に係止段部１０がそれぞれ形成されており、塗代カバー２の内面外周端縁の少なくとも相対向する一対の箇所からそれぞれ先端に前記下側の面取部８に係合する内向き突起１３を有する弾性変形自在な係合脚片１２がボックス本体１の外方に向けて一体に上向きに突設されており、バックプレート３の内面外周端縁の少なくとも相対向する一対の箇所からそれぞれ先端に前記上側の面取部７に係合する内向き突起２０を有する弾性変形自在な係合脚片１９がボックス本体１の外方に向けて一体に下向きに突設されており、前記上側の面取部７のうちの少なくとも一つの面取部７内の周方向両端、及び下側の面取部８のうちの少なくとも一つの面取部８内の周方向両端にそれぞれ、各面取部７，８に係合する前記内向き突起２０，１３の周方向移動を規制する位置決め段部１１，１１が設けられており、相対向する内向き突起２０，２０、１３，１３のそれぞれの内向き端面どうし間の間隔ａは、ボックス本体１の正多角形外面の相対向する二面どうし間の間隔ｂよりも広く、かつボックス本体１の正多角形外面の相対向する稜角部６，６どうし間の間隔ｃよりも狭くするとともに、相対向する面取部７，７、８，８どうし間のそれぞれの間隔ｄとほぼ同一の寸法に設定しており、前記下側の内向き突起１３の下面の、塗代カバー内面２ａからの高さｅは、下側の係止段部１０とボックス本体１の下端面との間の間隔ｆとほぼ同一寸法に設定しており、塗代カバー２は、ボックス本体１内の電線と接続可能に配線器具を取り付けるための中央凹部１４の内部に、薄肉部１６を介して切離可能な開口底板１５を一体に備えており、前記上側の内向き突起２０の上面の、バックプレート内面３ａからの高さｇは、上側の係止段部９とボックス本体１の上端面との間の間隔ｈとほぼ同一寸法に設定していることに特徴を有するものである。
【０００８】
【作用】
請求項１及び請求項２に記載のコンクリート壁埋込用電線ボックスによれば、塗代カバーは、コンクリート打設前にコンクリート型枠の内面の所定位置に定置固定される。そして、ボックス本体の下方開口端を塗代カバーで塞ぐときには、塗代カバーの内面とボックス本体の開口下端面とを互いに中心を合致するよう重ね合わせて両者を中心軸まわりに相対回転させると、ボックス本体の外面上の相対向する面取部が、塗代カバーの相対向する内向き突起の内向き端面間に係合脚片の弾性変形を介して嵌合する。この嵌合と同時に塗代カバーの内向き突起の下面がボックス本体の下側の係止段部に係合するため、ボックス本体が塗代カバーから上方へ離脱移動するのを防止できる。それと同時に、或る内向き突起が面取部上の一方の位置決め段部を一旦乗り越えて該位置決め段部と他方の位置決め段部との間に納まるため、ボックス本体が回転方向や反回転方向の周方向に回動するのを防止できる。したがって、コンクリート打設前において、コンクリート型枠の内面での所定位置に定置固定された塗代カバーに対してボックス本体を嵌合するとボックス本体が塗代カバーに結合される。コンクリートの固化後にコンクリート型枠を取り外すことによって、コンクリート型枠と塗代カバーとは分離される。そして、外面に露出した塗代カバーの開口底板が切離されれば、配線器具をボックス本体内の電線と接続可能な開口が形成され、この開口を通じてコンクリート壁内に埋め込まれたボックス本体内の電線と容易に接続作業を行うことができる。
【０００９】
【００１０】
【発明の実施の形態】
以下、本発明に係るコンクリート壁埋込用電線ボックスの実施形態を図面に基づき説明する。
【００１１】
図１はコンクリート壁埋込用の電線ボックスの分解斜視図、図２は電線ボックスのボックス本体の面取部の断面図、図３は同ボックス本体の位置決め段部付きの面取部の断面図、図４は電線ボックスを組み立てた状態で示す縦断正面図、図５は電線ボックスをコンクリート型枠にセットし、コンクリートを打設した状態を示す断面図、図６は図５の状態からコンクリート型枠を取り外した状態を示す断面図である。
【００１２】
本発明に係るコンクリート壁埋込用電線ボックスは、図１に示すように、ボックス本体１と、塗代カバー２及びバックプレート３とを備える。これらはボックス本体１、塗代カバー２及びバックプレート３はそれぞれ塩化ビニル樹脂などの合成樹脂成形品である。
【００１３】
図１に示すように、ボックス本体１は上下端開放状の八角形など正多角形（凸多角形）の筒状に形成し、この正多角形筒壁４の各面には、強く押圧することによって開口できる電線管挿通部５を形成している。また、ボックス本体の正多角形筒壁４の外面の相対向する一対の稜角部（正多角形筒壁４の隣り合っている二面が出会う所の出隅部）６，６の各上下端寄りにそれぞれ、上下の平坦な面取部７，８を形成するとともに、上側の面取部７の上側に平面三角形の係止段部９を、下側の面取部８の下側に平面三角形の係止段部１０をそれぞれ形成している（図２参照）。図示例では相対向する一対の上側の面取部７，７を二組、また相対向する一対の下側の面取部８，８を二組それぞれ備えているが、それぞれが一組であってもよい。図３に示すごとく、上側の面取部７のうちの少なくとも一つの面取部７の周方向両端には、この面取部７に係合する後述する内向き突起２０の周方向移動を規制する位置決め段部１１，１１を設けている。また下側の面取部８のうちの少なくとも一つの面取部８の周方向両端にも、この面取部８に係合する後述する内向き突起１３の周方向移動を規制する位置決め段部１１，１１を設けている。
【００１４】
塗代カバー２は、図１に示すごとく、ボックス本体１の下方開口端を塞ぎ得る大きさのボックス本体１の外形と同じ正多角形で断面皿形に形成し、その内面２ａの外周端縁の少なくとも相対向する一対の箇所から弾性変形自在な係合脚片１２，１２を上向きに一体に突設し、各係合脚片１２の先端には内向き突起１３を内向きに直角に一体に形成している。また、塗代カバー２の内面２ａの中央凹部１４の内部には、図４に示すごとく開口底板１５が薄肉部１６を介して切離可能に一体に備えられている。さらに塗代カバー２の内面２ａ上の係合脚片１２と中央凹部１４との間には、ボックス本体１の正多角形内面に内接する環状リブ１７が形成されている。
【００１５】
バックプレート３は、図１に示すごとく、ボックス本体１の上方開口端を塞ぎ得る大きさのボックス本体１の外形と同じ正多角形の平板状に形成し、その数箇所には強く押圧することによって開口できる電線管挿通部１８を形成している。バックプレート３は、塗代カバー２と同様に、その内面３ａの外周端縁の少なくとも相対向する一対の箇所から弾性変形自在な係合脚片１９を下向き一体に突設し、各係合脚片１９の先端には内向き突起２０を内向きに直角に一体に形成している。
【００１６】
図１及び図４において、塗代カバー２の相対向する内向き突起１３，１３の内向き端面どうし間、及びバックプレート３の相対向する内向き突起２０，２０の内向き端面どうし間のそれぞれの間隔ａは、ボックス本体１の正多角形外面の相対向する二面どうし間の間隔ｂよりも広く、かつボックス本体１の正多角形外面の相対向する稜角部６，６どうし間の間隔ｃよりも狭くするとともに、相対向する面取部７，７どうし間及び面取部８，８どうし間のそれぞれの間隔ｄとほぼ同一の寸法に設定している。
塗代カバー２の内向き突起１３の下面の、塗代カバー内面２ａからの高さｅは、係止段部１０とボックス本体１の下端面との間の間隔ｆとほぼ同一寸法に設定している。またバックプレート３の内向き突起２０の上面の、バックプレート内面３ａからの高さｇは、係止段部９とボックス本体１の上端面との間の間隔ｈとほぼ同一寸法に設定している。
【００１７】
しかるときは、塗代カバー２はこれの内面２ａをボックス本体１の下端面に対し中心を合致するよう重ね合わせて両者を中心軸まわりに相対回転させると、塗代カバー２の相対向する内向き突起１３，１３の内向き端面間が、ボックス本体１の外面上の下側の相対向する面取部８，８に係合脚片１２，１２の弾性変形を介して嵌合し、この嵌合によりボックス本体１と塗代カバー２とが互いに上下方向に離脱することのない結合状態となる。また、位置決め段部１１，１１を有する面取部８に対しては内向き突起１３が一方の位置決め段部１１を一旦乗り越えて該位置決め段部１１と他方の位置決め段部１１との間に周方向に回転移動することのないように位置決め規制される、という塗代カバー２のセット状態を得ることができる。
【００１８】
バックプレート３はこれの内面３ａをボックス本体１の上端面に対し中心を合致するよう重ね合わせて両者を中心軸まわりに相対回転させると、バックプレート３の相対向する内向き突起２０，２０の内向き端面間が、ボックス本体１の外面上の上側の相対向する面取部７，７に係合脚片１９，１９の弾性変形を介して嵌合し、この嵌合によりボックス本体１とバックプレート３とが互いに上下方向に離脱することのない結合状態となる。また、位置決め段部１１，１１を有する面取部７に対しては内向き突起２０が一方の位置決め段部１１を一旦乗り越えて該位置決め段部１１と他方の位置決め段部１１との間に周方向に回転移動することのないように位置決め規制される、というバックプレート３のセット状態を得ることができる。
【００１９】
上記位置決め段部１１は面取部７，８の各内面からの高さを僅かな高さ寸法に設定してあり、したがって塗代カバー２及びバックプレート３は、セット後に、それぞれをボックス本体１の中心軸まわりに強い回転力で回転させることにより、内向き突起１３，２０を係合脚片１２，１９の弾性変形を介して一方の位置決め段部１１を乗り越えて面取部８，７から抜き出すこともできる。
【００２０】
次に、上記構成の電線ボックスＢをコンクリート壁に一体に埋め込む要領につき図５及び図６に基づいて説明する。
まず、図５に示すように、コンクリート打設前にコンクリート型枠（幕板）２５の内面の所定位置に開口底板１５を釘２６で打ち付けて塗代カバー２を定置固定する。次いで、この塗代カバー２の内面２ａ上にボックス本体１の開口下端面を互いに中心を合致するよう重ね合わせて、ボックス本体１を中心軸まわりに回転させる。すると、ボックス本体１の外面上の相対向する面取部８，８が、塗代カバー２の相対向する内向き突起１３，１３の内向き端面間に係合脚片１２，１２の弾性変形を介して嵌合する。この嵌合により塗代カバー２の内向き突起１３の下面がボックス本体１の係止段部１０上に係合するため、ボックス本体１が塗代カバー２から上方へ離脱移動することがない。それと同時に或る内向き突起１３が面取部８内の位置決め段部１１，１１間に納まるため、ボックス本体１が回転方向や反回転方向の周方向に回動することもない。
【００２１】
次いで、ボックス本体１内に電線管挿通部５を利用して電線（図示省略）を導入配線する。配線後、バックプレート３の内面３ａをボックス本体１の開口上端面に互いに中心を合致するよう重ね合わせてバックプレート３を中心軸まわりに回転させる。すると、ボックス本体１の外面上の相対向する面取部７，７に、バックプレート３の相対向する内向き突起２０，２０の内向き端面間が、係合脚片１９，１９の弾性変形を介して嵌合する。この嵌合によりバックプレート３の内向き突起２０の上面がボックス本体１の係止段部９に係合するため、バックプレート３がボックス本体１から上方へ離脱移動することがない。それと同時に或る内向き突起２０が面取部７内の位置決め段部１１，１１間に納まるため、バックプレート３が回転方向や反回転方向の周方向に回動することもない。
【００２２】
かくして、コンクリート型枠２５内にコンクリート２７を打ち込む。コンクリート２７の固化後、図６に示すように、コンクリート型枠２５を取り外す。コンクリート型枠２５の取り外しに伴って該コンクリート型枠２５に釘付けされている開口底板１５がその取り外し方向に引っ張られ、薄肉部１６を破断して塗代カバー２から分離する。開口底板１５の分離除去によって塗代カバー２の中央凹部１４がコンクリート２７の外面に開放状に臨む状態が得られる。その中央凹部１４に配線器具をボックス本体１内の電線と接続可能に取り付け可能とする。
【００２３】
上記実施例では塗代カバー２及びバックプレート３の双方をそれぞれボックス本体１に対して面取部７，８、係止段部９，１０及び係合脚片１９，１２との係合手段を介してセットできるものとしてあるが、これに限定されるものではなく、塗代カバー２又はバックプレート３のいずれか一方のみを面取部７又は８、係止段部９又は１０、及び係合脚片１９又は１２との係合手段を介してセットできるものとし、他方のバックプレート３又は塗代カバー２はボックス本体１に対しその他の結合手段でセットするものであってもよい。
ボックス本体１は図示例の八角形以外に、例えば六角形、四角形などの正多角形に形成することもできる。
【００２４】
【発明の効果】
本発明によれば、ボックス本体に対し塗代カバー及びバックプレートの両方又はそのいずれか一方を重ね合わせて所要角度だけ回転させるだけの簡単な操作で、ビスを用いることなく、簡単にセットすることができ、したがってコンクリート壁への埋め込み作業が能率よく行えるという利点がある。
また、ボックス本体の上方開口端をバックプレートで塞ぐときには、バックプレートの内面とボックス本体の開口上端面とを互いに中心を合致するよう重ね合わせて両者を中心軸まわりに相対回転させると、ボックス本体の外面上の相対向する面取部に、バックプレートの相対向する内向き突起の内向き端面間が係合脚片の弾性変形を介して嵌合する。この嵌合と同時にバックプレートの内向き突起の上面がボックス本体の上側の係止段部に係合するため、バックプレートがボックス本体から上方へ離脱移動するのを防止できる。それと同時に、或る内向き突起が面取部上の一方の位置決め段部を一旦乗り越えて該位置決め段部と他方の位置決め段部との間に納まるため、バックプレートが回転方向や反回転方向の周方向に回動するのを防止できる。
【図面の簡単な説明】
【図１】  コンクリート壁埋込用の電線ボックスの分解斜視図である。
【図２】  電線ボックスのボックス本体の面取部の断面図である。
【図３】  同ボックス本体の位置決め段部付きの面取部の断面図である。
【図４】  電線ボックスを組み立てた状態で示す縦断正面図である。
【図５】  電線ボックスをコンクリート型枠にセットし、コンクリートを打設した状態を示す断面図である。
【図６】  図５の状態からコンクリート型枠を取り外した状態を示す断面図である。
【図７】  従来例の電線ボックスの縦断正面図である。
【図８】  図７の電線ボックスをコンクリート型枠にセットし、コンクリートを打設した状態を示す断面図である。
【図９】  図８の状態からコンクリート型枠を取り外した状態を示す断面図である。
【符号の説明】
１  ボックス本体
２  塗代カバー
３  バックプレート
６  稜角部
７  上側の面取部
８  下側の面取部
９  上側の係止段部
１０  下側の係止段部
１１  位置決め段部
１２  塗代カバーの係合脚片
１３  塗代カバーの内向き突起
１９  バックプレートの係合脚片
２０  バックプレートの内向き突起
【図１】
0004303832.tif 000002
【図２】
0004303832.tif 000003
【図３】
0004303832.tif 000004
【図４】
0004303832.tif 000005
【図５】
0004303832.tif 000006
【図６】
0004303832.tif 000007
【図７】
0004303832.tif 000008
【図８】
0004303832.tif 000009
【図９】
0004303832.tif 000010